(57)【要約】【課題】  ワイヤレスでブロードキャストされた電子作品へのアクセスを制御するための方法、システム、およびプログラムを提供すること。【解決手段】  ディジタル権利規則が付いた電子作品のワイヤレス・ブロードキャストは２次プレーヤで１次プレーヤから受信される。２次プレーヤが１次プレーヤの受信範囲内にある間に、２次プレーヤでの電子作品の同期再生を可能にすることができる。ディジタル権利規則が付いたストリーミングされた電子作品のサンプルは２次プレーヤで保管される。２次プレーヤが１次プレーヤの受信範囲外に移動したことを検出したことに応答して、２次プレーヤはディジタル権利規則に応じて保管された電子作品の再生のみ許可する。【選択図】  図２
2005166059.tif 000002
【特許請求の範囲】
【請求項１】
ワイヤレスでブロードキャストされた電子作品へのアクセスを制御するための方法であって、
ディジタル権利規則が付いた電子作品のワイヤレス・ブロードキャストを２次プレーヤで１次プレーヤから受信するステップと、
前記電子作品のサンプルを前記２次プレーヤで保管するステップと、
前記１次プレーヤの受信範囲外で前記２次プレーヤを検出したことに応答して、前記ディジタル権利規則に応じて、保管された前記電子作品の再生のみを許可するステップと、
を有する方法。
【請求項２】
前記２次プレーヤが前記１次プレーヤの受信範囲内にある間に前記２次プレーヤでの前記電子作品の同期再生を可能にするステップをさらに有する、請求項１に記載の方法。
【請求項３】
前記１次プレーヤのワイヤレス・ブロードキャスト範囲内に移動するポータブル・プレーヤである２次プレーヤで前記ワイヤレス・ブロードキャストを検出するステップと、
前記電子作品の同期再生と前記電子作品の前記サンプルの保管のうちの少なくとも一方を選択するよう前記２次プレーヤのユーザに指示するステップと、
をさらに有する、請求項１に記載の方法。
【請求項４】
前記２次プレーヤの少なくとも１人のユーザの電子作品のプリファレンスに基づいて、ブロードキャストされた電子作品が選択されるように、前記電子作品のプリファレンスを前記１次プレーヤにワイヤレスで伝送するステップをさらに有する、請求項１に記載の方法。
【請求項５】
前記電子作品の再生に応答して、前記２次プレーヤの少なくとも１人のユーザによるレーティングを記録するステップをさらに有する、請求項１に記載の方法。
【請求項６】
前記受信するステップは、前記ディジタル権利規則が前記１次プレーヤによるブロードキャストを許可している電子作品を受信する、請求項１に記載の方法。
【請求項７】
前記保管するステップは、前記ディジタル権利規則が前記２次プレーヤによるブロードキャストを許可している電子作品を保管する、請求項１に記載の方法。
【請求項８】
前記電子作品が、音楽作品、テキスト作品、ビデオ作品、およびフィルム作品のうちの１つである、請求項１に記載の方法。
【請求項９】
前記ディジタル権利規則が、前記電子作品をワイヤレスでブロードキャストするためのライセンス、前記電子作品のサンプルを特定の回数再生するためのライセンス、前記電子作品のサンプルの一部分のみを再生するためのライセンス、前記電子作品のサンプルを低下した品質で再生するためのライセンス、暗号化解除キーを入手した後で前記電子作品のサンプルを再生するためのライセンス、前記電子作品に関するコンテキストを表示するためのライセンス、および前記電子作品のレビューを表示するためのライセンスのうちの１つである、請求項１に記載の方法。
【請求項１０】
前記電子作品のワイヤレス・ブロードキャスト中に前記電子作品に関するコンテキストを受信するステップと、
前記電子作品に関するディジタル権利規則に応じて前記２次プレーヤの出力インターフェースを介して前記コンテキストの提示のみを可能にするステップと、
をさらに有する、請求項１に記載の方法。
【請求項１１】
コンテキスト・データが付いた電子作品のワイヤレス・ブロードキャストを２次プレーヤで１次プレーヤから受信するステップと、
前記ディジタル権利規則に応じて前記コンテキスト・データの出力のみを許可するステップと、
をさらに有する、請求項１に記載の方法。
【請求項１２】
ワイヤレスでブロードキャストされた電子作品へのアクセスを制御するためのシステムであって、
ディジタル権利規則が付いた電子作品のワイヤレス・ブロードキャストを１次プレーヤから受信できるようになっている２次電子装置を有し、
前記２次電子装置が、
前記ディジタル権利規則が付いた電子作品のサンプルを前記２次プレーヤで保管するための手段と、
前記１次プレーヤの受信範囲外で前記２次プレーヤを検出したことに応答して、前記ディジタル権利規則に応じて、保管された前記電子作品の再生のみを許可するための手段と、
を有するシステム。
【請求項１３】
前記２次電子装置が、前記２次プレーヤが前記１次プレーヤの受信範囲内にある間に前記２次プレーヤでの前記電子作品の同期再生を可能にするための手段をさらに有する、請求項１２に記載のシステム。
【請求項１４】
前記２次電子装置が、前記１次プレーヤのワイヤレス・ブロードキャスト範囲内に移動するポータブル・プレーヤである２次プレーヤで前記ワイヤレス・ブロードキャストを検出するための手段と、
前記電子作品の同期再生と前記電子作品のサンプルの保管のうちの少なくとも一方を選択するよう前記２次プレーヤのユーザに指示するための手段と、
をさらに有する、請求項１２に記載のシステム。
【請求項１５】
前記２次電子装置が、前記２次プレーヤの少なくとも１人のユーザの電子作品のプリファレンスに基づいて、ブロードキャストされた電子作品が選択されるように、前記電子作品のプリファレンスを前記１次プレーヤにワイヤレスで伝送するための手段をさらに有する、請求項１２に記載のシステム。
【請求項１６】
前記２次電子装置が、前記電子作品の再生に応答して、前記２次プレーヤの少なくとも１人のユーザによるレーティングを記録するための手段をさらに有する、請求項１２に記載のシステム。
【請求項１７】
前記受信するための手段は、前記ディジタル権利規則が前記１次プレーヤからのブロードキャストを許可している電子作品を受信する、請求項１２に記載のシステム。
【請求項１８】
前記保管するための手段は、前記ディジタル権利規則が前記２次プレーヤによるブロードキャストを許可している電子作品を保管する、請求項１２に記載のシステム。
【請求項１９】
前記電子作品が、音楽作品、テキスト作品、ビデオ作品、およびフィルム作品のうちの１つである、請求項１２に記載のシステム。
【請求項２０】
前記ディジタル権利規則が、前記電子作品をワイヤレスでブロードキャストするためのライセンス、前記電子作品の前記サンプルを特定の回数再生するためのライセンス、前記電子作品の前記サンプルの一部分のみを再生するためのライセンス、前記電子作品の前記サンプルを低下した品質で再生するためのライセンス、暗号化解除キーを入手した後で前記電子作品の前記サンプルを再生するためのライセンス、前記電子作品に関するコンテキストを表示するためのライセンス、および前記電子作品のレビューを表示するためのライセンスのうちの１つである、請求項１２に記載のシステム。
【請求項２１】
前記２次電子装置が、
前記電子作品のワイヤレス・ブロードキャスト中に前記電子作品に関するコンテキストを受信するための手段と、
前記電子作品に関する前記ディジタル権利規則に応じて前記２次プレーヤの出力インターフェースを介して前記コンテキストの提示のみを可能にするための手段と、
をさらに有する、請求項１２に記載のシステム。
【請求項２２】
前記２次電子装置が、
コンテキスト・データが付いた電子作品のワイヤレス・ブロードキャストを２次プレーヤで１次プレーヤから受信するための手段と、
前記ディジタル権利規則に応じて前記２次プレーヤでの前記コンテキスト・データの出力のみを許可するための手段と、
をさらに有する、請求項１２に記載のシステム。
【請求項２３】
ワイヤレスでブロードキャストされた電子作品へのアクセスを制御するためのコンピュータ・プログラムであって、コンピュータを、
ディジタル権利規則が付いた電子作品のワイヤレス・ブロードキャストを２次プレーヤで１次プレーヤから受信するための手段、
ディジタル権利規則が付いた前記電子作品のサンプルを前記２次プレーヤで保管するための手段、および
前記１次プレーヤの受信範囲外で前記２次プレーヤを検出したことに応答して、前記ディジタル権利規則に応じて、保管された電子作品の再生のみを許可するための手段、
として機能させるためのコンピュータ・プログラム。
【請求項２４】
さらにコンピュータを、前記２次プレーヤが前記１次プレーヤの受信範囲内にある間に前記２次プレーヤでの前記電子作品の同期再生を可能にするための手段として機能させるための、請求項２３に記載のコンピュータ・プログラム。
【請求項２５】
さらにコンピュータを、
前記１次プレーヤのワイヤレス・ブロードキャスト範囲内に移動するポータブル・プレーヤである２次プレーヤで前記ワイヤレス・ブロードキャストを検出するための手段、および
前記電子作品の同期再生と前記電子作品の前記サンプルの保管のうちの少なくとも一方を選択するよう前記２次プレーヤのユーザに指示するための手段、
として機能させるための、請求項２３に記載のコンピュータ・プログラム。
【請求項２６】
前記記録媒体上に記録され、前記２次プレーヤの少なくとも１人のユーザの電子作品のプリファレンスに基づいて前記ブロードキャストされた電子作品が選択されるように、前記電子作品のプリファレンスを前記１次プレーヤにワイヤレスで伝送するための手段
をさらに有する、再生中にワイヤレスでブロードキャストされた電子作品へのアクセスを制御するための請求項２３に記載のコンピュータ・プログラム。
【請求項２７】
さらにコンピュータを、前記電子作品の再生に応答して、前記２次プレーヤの少なくとも１人のユーザによるレーティングを記録するための手段として機能させるための、請求項２３に記載のコンピュータ・プログラム。
【請求項２８】
前記受信するための手段は、前記ディジタル権利規則が前記１次プレーヤからのブロードキャストを許可している電子作品を受信する、請求項２３に記載のコンピュータ・プログラム。
【請求項２９】
さらにコンピュータを、
コンテキスト・データが付いた電子作品の前記ワイヤレス・ブロードキャストを２次プレーヤで１次プレーヤから受信するための手段、および
前記ディジタル権利規則に応じて前記２次プレーヤでの前記コンテキスト・データの出力のみを許可するための手段、
として機能させるための、請求項２３に記載のコンピュータ・プログラム。
【請求項３０】
電子作品のワイヤレス・ブロードキャストを制御するための方法であって、
１次プレーヤで電子作品を受信するステップと、
前記１次プレーヤから少なくとも１つの２次プレーヤに前記電子作品をワイヤレスでブロードキャストするための要求に応答して、前記電子作品のブロードキャストが制御されるように、前記ブロードキャストを許可するディジタル権利規則を前記電子作品とともに受信した場合のみ、前記ブロードキャストを許可するステップと、
を有する方法。
【請求項３１】
前記受信するステップが、前記電子作品および前記電子作品に関する前記ディジタル権利規則をネットワーク・サーバからダウンロードするステップをさらに有する、請求項３０に記載の方法。
【請求項３２】
受信した前記電子作品および前記ディジタル権利規則を保管するステップをさらに有する、請求項３０に記載の方法。
【請求項３３】
前記受信するステップが、
前記ディジタル権利規則なしにユーザから前記電子作品を受信するステップと、
前記ブロードキャストを許可するディジタル権利規則を入手するために電子作品ライセンス・サーバにアクセスするステップと、
をさらに有する、請求項３０に記載の方法。
【請求項３４】
前記ディジタル権利規則に応じてブロードキャスト範囲、ブロードキャスト・タイプ、およびブロードキャスト媒体のうちの少なくとも１つに前記ブロードキャストを制限するステップをさらに有する、請求項３０に記載の方法。
【請求項３５】
ワイヤレスでブロードキャストされた電子作品に関するコンテキストを制御するための方法であって、
コンテキストおよびディジタル権利規則が付いた電子作品のワイヤレス・ブロードキャストを２次プレーヤで１次プレーヤから受信するステップと、
前記電子作品に関する前記コンテキストおよび前記ディジタル権利規則を保管するステップと、
前記電子作品に関する前記ディジタル権利規則に応じて前記電子作品の前記コンテキストへのアクセスのみ許可するステップと、
を有する方法。
【請求項３６】
前記コンテキストが、電子作品タイトル、アーチスト名、ジャンル、コンポジション名、媒体、配信者名、配信者リンク、レーベル名、レーベル・リンク、アーチスト・リンク、レビュア名、レビュア・レーティング、およびレビュア・テキストのうちの少なくとも１つを有する、請求項３５に記載の方法。
【発明の詳細な説明】
【技術分野】
【０００１】
本発明は、一般に、改良された再生システムに関し、特に、電子作品（著作物）の再生を制御するための改良された方法に関する。より詳細には、本発明は、他の電子装置から試用された電子作品がその試用された電子作品のディジタル権利管理（ＤＲＭ）規則に応じて受信装置上でのみ再生されるように、ワイヤレスでブロードキャストされた電子作品へのアクセスを制御することに関する。
【背景技術】
【０００２】
技術的進歩および著作権法は相互に矛盾する場合が多い。新しくより良好な装置を提供するための技術的進歩により、電子形式の著作権保護可能な作品の表示およびオーディオ出力が可能になる。このような電子作品としては、音楽、フィルム、ビデオ、書籍を含むが、これらに限定されない。この技術的進歩は、たとえば、音楽を再生する電子装置のタイプを拡張し続ける。さらに、技術的進歩は、多くの場合、著作権所有者の権利を考慮せずに、音楽をカプセル化する新しい方法と、音楽を配信する新しい方法を提供している。対照的に、著作権法は、著作権で保護された作品に対し著作権所有者が有する保護を増大し続けているが、このような権利の執行は困難で費用のかかるものである場合が多い。したがって、著作権保護を執行して実現し、適切なライセンス交付を獲得するために著作権で保護された音楽およびその他の電子作品の聴取者および視聴者にインセンティブを提供する技術開発が必要である。
【０００３】
特に、電子作品を再生する装置における進歩の１つは、ＭＰＥＧ−１  Ｌａｙｅｒ３（ＭＰ３）およびその他のタイプの電子圧縮ファイル・フォーマットから音楽を再生するポータブル電子装置の進歩である。ＭＰ３ファイルは概してメモリ・サイズが小さく、したがって、ポータブル電子装置での保管および再生に理想的なものである。さらに、ＭＰ３およびその他のタイプの電子フォーマットのライセンス作品は、有線または無線ネットワークを介してある装置から他の装置に容易に転送可能である場合が多い。
【０００４】
また、電子作品を再生する装置における進歩により、ある種のアドホック無線システムを構成して、音楽ファイルをあるポータブル装置から他のポータブル装置にストリーミングすることもできる。あるプレーヤから他のプレーヤへの音楽ファイルおよびストリーミング・オーディオの転送はポータブル・プレーヤ装置の消費者にとって有利なものであるが、著作権所有者にとって有利ではない場合が多い。したがって、著作権所有者にとっては、他のポータブル電子装置での再生中にストリーミングされた電子作品へのアクセスを制御するための方法、システム、およびプログラムを提供することは有利なことになるであろう。特に、再生中の電子作品へのアクセスがディジタル権利管理（ＤＲＭ）規則によって制御されるように、ワイヤレスでストリーミングされた電子作品にＤＲＭ規則を割り当てることは有利なことになるであろう。しかし、消費者にとっては、ブロードキャストされた電子作品の同期再生のみならず、ＤＲＭ規則に応じて後で再生するためのブロードキャストされた電子作品の保管も可能にすることは有利なことになるであろう。
【発明の開示】
【発明が解決しようとする課題】
【０００５】
したがって、上記の説明を考慮して、本発明の一目的は、改良されたブロードキャスト・システムを提供することにある。加えて、本発明は、電子作品の再生を制御するための改良された方法、システム、およびプログラムを提供する。さらに、本発明は、他の電子装置から試用された電子作品がその試用された電子作品のＤＲＭ規則に応じて受信装置上でのみ再生されるように、ワイヤレスでブロードキャストされたライセンス電子作品へのアクセスを制御するための方法、システム、およびプログラムを提供する。
【課題を解決するための手段】
【０００６】
本発明の一態様によれば、ディジタル権利規則が付いた電子作品のワイヤレス・ブロードキャストは２次プレーヤで１次プレーヤから受信される。２次プレーヤが１次プレーヤの受信範囲内にある間に、２次プレーヤでの電子作品の同期再生を可能にすることができる。ディジタル権利規則が付いたストリーミングされた電子作品のサンプルは２次プレーヤで保管される。２次プレーヤが１次プレーヤの受信範囲外に移動したことを検出したことに応答して、ディジタル権利規則に応じて、保管された電子作品の再生のみが許可される。
【０００７】
ユーザが１次プレーヤにロードする電子作品は、その電子作品のワイヤレス・ブロードキャストが許可されるかどうかを指定するＤＲＭ規則を含むことができる。さらに、電子作品のブロードキャストのための送受信範囲および転送媒体はＤＲＭ規則に指定することができる。さらに、電子作品のブロードキャストが許可される場合、ＤＲＭ規則は、電子作品のどのタイプのサンプルを２次プレーヤでブロードキャストし保管することができるかを指定する。
【０００８】
本発明の一実施形態では、１次プレーヤおよび２次プレーヤはどちらも、ある場所から他の場所に移動できるようになっているポータブル・プレーヤである。本発明の他の実施形態では、１次プレーヤおよび２次プレーヤのいずれか一方は固定ワイヤレス・ネットワーク範囲を有することができる。
【０００９】
本発明の他の態様によれば、複数の２次プレーヤは電子作品のブロードキャストを受信する。さらに、複数の２次プレーヤのいずれかは１次プレーヤにプリファレンスを伝送することができ、１次プレーヤは２次プレーヤのユーザのプリファレンスを使用して、次にどの電子作品をブロードキャストするかを選択する。
【００１０】
本発明のさらに他の態様によれば、２次プレーヤのユーザは、電子作品に関するレーティングを行い、電子作品に関するコメントを作成することにより、電子作品の再生に応答する。レーティングおよびコメントは、２次プレーヤで保管し、２次プレーヤと１次プレーヤとの間で配信し、電子作品のレーティングを収集できるようになっているネットワーク・サーバに配信することができる。
【００１１】
本発明に特有と思われる新規な特徴は特許請求の範囲に示されている。しかし、本発明そのもの、ならびにその好ましい使用態様、他の目的、および利点については、添付図面に併せて読んだときに、以下に示す例示的な一実施形態の詳細説明を参照することによって最も良く理解されるであろう。
【発明を実施するための最良の形態】
【００１２】
次に図面、特に図１を参照すると、本方法、システム、およびプログラムを実現可能なコンピュータ・システムの一実施形態が示されている。本発明は、いくつかの異なるオペレーティング・システム下の様々なコンピューティング・システムおよび電子装置を含む様々なシステムで実行することができる。一般に、本発明は、コンピュータ・システムにとってアクセス可能な記憶装置内のデータの操作などのコンピューティング・タスクを実行するコンピュータ・システム内で実行される。加えて、コンピュータ・システムは、少なくとも１つの出力装置と少なくとも１つの入力装置とを含む。
【００１３】
コンピュータ・システム１００は、コンピュータ・システム１００内で情報を通信するためのバス１２２またはその他の通信装置と、情報を処理するためにバス１２２に結合されたプロセッサ１１２などの少なくとも１つの処理装置とを含む。バス１２２は好ましくは、ブリッジおよびアダプタによって接続され、複数のバス・コントローラによってコンピュータ・システム１００内で制御される低待ち時間経路および高待ち時間経路を含む。サーバ・システムとして実装される場合、コンピュータ・システム１００は概して、ネットワーク・サービス能力を改善するように設計された複数のプロセッサを含む。
【００１４】
プロセッサ１１２は、通常動作中に、ランダム・アクセス・メモリ（ＲＡＭ）１１４などの動的記憶装置および読取り専用メモリ（ＲＯＭ）１１６などの静的記憶装置からアクセス可能なオペレーティング・システムおよびアプリケーション・ソフトウェアの制御下でデータを処理するＩＢＭのＰｏｗｅｒＰＣ（商標）プロセッサなどの汎用プロセッサにすることができる。オペレーティング・システムは、ユーザに対しグラフィカル・ユーザ・インターフェース（ＧＵＩ）を提供することができる。好ましい一実施形態では、アプリケーション・ソフトウェアは、プロセッサ１１２上で実行されたときに、図１４、図１５、図１６の流れ図に示されている動作および本明細書に記載されているその他の動作を実行する機械実行可能命令を含む。代替として、本発明の諸ステップは、諸ステップを実行するためのハードワイヤード・ロジックを含む特定ハードウェア・コンポーネントによるか、またはプログラム化コンピュータ・コンポーネントとカスタム・ハードウェア・コンポーネントの任意の組み合わせによって実行することができる。
【００１５】
本発明は、本発明によるプロセスを実行するようにコンピュータ・システム１００をプログラミングするために使用される機械実行可能命令を含むコンピュータ・プログラムとして実施することができる。このようなコンピュータ・プログラムは機械可読媒体に記録可能である。本明細書で使用する「機械可読媒体」という用語は、実行のためにコンピュータ・システム１００のプロセッサ１１２またはその他のコンポーネントへの命令の提供に関与する任意の媒体を含む。このような媒体は、不揮発性媒体、揮発性媒体、伝送媒体を含むがこれらに限定されない多くの形を取ることができる。不揮発性媒体の一般的な形としては、たとえば、フレキシブル・ディスク、ハード・ディスク、磁気テープまたは任意のその他の磁気媒体、ＣＤ−ＲＯＭまたは任意のその他の光媒体、パンチ・カードまたはホール・パターン付きの任意のその他の物理媒体、ＰＲＯＭ、ＥＰＲＯＭ、ＥＥＰＲＯＭ）、フラッシュ・メモリまたは任意のその他のメモリ・チップまたはカートリッジ、あるいはコンピュータ・システム１００が読み取ることができ、命令の保管に適した任意のその他の媒体を含む。この実施形態では、不揮発性媒体の一例は、図示のように、コンピュータ・システム１００の内部コンポーネントである大容量記憶装置１１８であるが、外部装置によって提供されるものであることも理解されるであろう。揮発性媒体としては、ＲＡＭ１１４などの動的メモリを含む。伝送媒体としては、バス１２２を構成するワイヤを含む、同軸ケーブル、銅線、または光ファイバを含む。また、伝送媒体は、無線周波通信または赤外線データ通信中に生成されるものなどの音波または光波の形を取ることもできる。
【００１６】
さらに、本発明に従うコンピュータ・プログラムはリモートからダウンロードすることができ、その場合、プログラム命令は、バス１２２に結合された通信インターフェース１３２へのネットワーク・リンク１３４（たとえば、モデムまたはネットワーク接続）を介して、搬送波またはその他の伝搬媒体で実施されたデータ信号により、サーバ１４０などのリモート・コンピュータから要求側コンピュータ・システム１００に転送することができる。通信インターフェース１３２は、たとえば、ネットワーク１０２へのアクセスを可能にするローカル・エリア・ネットワーク（ＬＡＮ）、広域ネットワーク（ＷＡＮ）、またはインターネット・サービス・プロバイダ（ＩＳＰ）に接続可能なネットワーク・リンク１３４に結合する両方向データ通信を提供する。特に、ネットワーク・リンク１３４は、ネットワーク１０２などの１つまたは複数のネットワークへの有線または無線ネットワーク通信を提供することができる。
【００１７】
ネットワーク１０２は、相互に通信するために、伝送制御プロトコル（ＴＣＰ）およびインターネット・プロトコル（ＩＰ）などの特定のプロトコルを使用するネットワークおよびゲートウェイの世界的な集合を指すことができる。ネットワーク１０２は、ディジタル・データ・ストリームを搬送する電気信号、電磁信号、または光学信号を使用する。様々なネットワークを通る信号と、ネットワーク・リンク１３４上および通信インターフェース１３２を通る信号は、コンピュータ・システム１００との間でディジタル・データを搬送するものであり、情報を移送する搬送波の例示的な形である。
【００１８】
サーバ・システムとして実装される場合、コンピュータ・システム１００は概して、入出力コントローラに接続された複数のＰＣＩバス・ブリッジを介してアクセス可能な複数の通信インターフェースを含む。このように、コンピュータ・システム１００により、複数のネットワーク・コンピュータへの接続が可能になる。
【００１９】
さらに、複数の周辺コンポーネントをコンピュータ・システム１００に追加し、複数レベルのバス１２２の１つに結合された複数のコントローラ、アダプタ、および拡張スロットに接続することができる。たとえば、ポータブル・プレーヤとして実装される場合、ワイヤレス・トランシーバ１２９はワイヤレス伝送を制御するためにバス１２２上でイネーブルされる。ワイヤレス・トランシーバ１２９は、新しい遠隔当事者がないかを確かめるために事前プログラミングした公衆チャネルを絶えず聴取し、公衆チャネル上でデータおよびメッセージを送受信する。ワイヤレス・トランシーバ１２９は、Ｂｌｕｅｔｏｏｔｈ、８０２．１１、またはディジタル拡張コードレス電話（ＤＥＣＴ）などであるがこれらに限定されない任意の近距離無線技術によって実現することができる。オーディオ出力１２８は、スピーカ、ヘッドホン、またはその他のオーディオ・プロジェクション装置によるオーディオ出力を制御するためにバス１２２上でイネーブルされる。ディスプレイ１２４も、視覚、触覚、またはその他のグラフィカル表現フォーマットを提供するためにバス１２２上でイネーブルされる。キーボード１２６と、マウス、トラックボール、またはカーソル方向キーなどのカーソル制御装置１３０は、コンピュータ・システム１００へのユーザ入力のためのインターフェースとしてバス１２２上でイネーブルされる。本発明の代替実施形態では、追加の入力および出力周辺コンポーネントを追加することができる。
【００２０】
当業者であれば、図１に図示したハードウェアが様々になる可能性があることが分かるであろう。さらに、当業者であれば、図示した例が本発明に関するアーキテクチャ上の制限を暗示するものではないことが分かるであろう。
【００２１】
コンピュータ・システム１００の機能性は、サーバからポータブル・プレーヤまでのデータ処理システムで実現することができる。ポータブル・プレーヤは、電子作品を効率よく受信し、保管し、再生するように調整されたコンピュータ・システムにすることができる。ポータブル・プレーヤの例としては、ＭＰ３プレーヤ、ポータブルＤＶＤプレーヤ、電子ブック（ebook）再生装置、および特定のタイプの電子作品の再生のために指定されたその他の装置を含むが、これらに限定されない。また、ポータブル・プレーヤは、無線電話および携帯情報端末などのその他のタイプのポータブル・コンピュータ・システムに組み込むこともできる。
【００２２】
次に図２を参照すると、ブロック図は、本発明の方法、システム、およびプログラムによる電子作品ライセンス交付および配信システムを容易にするための分散ネットワーク・システムを示している。分散システム２００は、本発明を実現可能な複数コンピュータからなるネットワークである。分散システム２００はネットワーク１０２を含み、このネットワークは、分散システム２００内で一緒に接続された様々な装置およびコンピュータ間の通信リンクを提供するために使用される媒体である。ネットワーク１０２は、ワイヤまたは光ファイバ・ケーブルなどの永続的接続と、電話接続およびワイヤレス伝送接続によって行われる一時的接続とを含むことができる。
【００２３】
分散システム２００のクライアント／サーバ環境は、ネットワーク１０２に通信可能に接続された複数のクライアント・プレーヤ２０８および２１０を含む。加えて、ネットワーク１０２に通信可能に接続されたディジタルＤＪサーバ２０４、電子作品ライセンス・サーバ２０５、およびライセンス電子作品配信サーバ２０６などの複数のサーバが存在する。
【００２４】
分散システム２００のクライアント／サーバ環境は、多くのネットワーク・アーキテクチャ内で実現される。たとえば、ワールド・ワイド・ウェブ（ウェブ）のアーキテクチャは従来のクライアント／サーバ・モデル環境を踏襲したものである。「クライアント」および「サーバ」という用語は、データのリクエスタ（クライアント）またはデータのプロバイダ（サーバ）としてのコンピュータの一般的な役割を指すために使用する。ウェブ環境では、Ｎｅｔｓｃａｐｅ  Ｎａｖｉｇａｔｏｒ（商標）などのウェブ・ブラウザは概して、クライアント・プレーヤ２０８および２１０上に存在し、サーバ２０４、２０５、および２０６などのウェブ・サーバによって供されるウェブ・ドキュメント（ページ）を提供する。追加として、クライアント・プレーヤ２０８および２１０とサーバ２０４、２０５、および２０６のそれぞれは、「クライアント」のみならず「サーバ」としても機能することができ、図１のコンピュータ・システム１００などのコンピュータ・システムを使用して実現することができる。さらに、本発明は、ネットワーク１０２を介してピアツーピア・ネットワーク通信およびダウンロードに従事するクライアント・プレーヤ２０８および２１０でも実現される。
【００２５】
ウェブは、世界中のサーバ上に存在するインターリンクされたハイパーテキスト・ドキュメントの全集合を指す場合もある。インターネットなどのネットワーク１０２は、ネットワーク１０２に接続されたシステム間でこのようなハイパーテキスト・ドキュメントを伝送するためのインフラストラクチャを提供する。ウェブ上のドキュメント（ページ）は、ハイパーテキスト・マークアップ言語（ＨＴＭＬ）または拡張マークアップ言語（ＸＭＬ）などの複数の言語で作成し、サーバ２０５などの複数サーバから特定のウェブ・ページ・サーバを指定するユニフォーム・リソース・ロケータ（ＵＲＬ）と、それによりファイルにアクセスすることができるパス名によって識別し、ハイパーテキスト転送プロトコル（ＨＴＴＰ）またはファイル転送プロトコル（ＦＴＰ）などのプロトコルを使用して特定のウェブ・ページ・サーバからエンド・ユーザに伝送することができる。ウェブ・ページは、テキスト、グラフィック・イメージ、ムービー・ファイル、電子ブック、サウンド・ファイル、ストリーミング・オーディオ、ならびにリンクをクリックすることによってユーザが起動したときに実行されるＪａｖａ（Ｒ）アプレットおよびその他の小さい埋込みソフトウェア・プログラムをさらに含むことができる。
【００２６】
インターネットに関連してネットワーク１０２について説明するが、ネットワーク１０２は、イントラネットまたはピアツーピア・ネットワークを含むその他の使用可能なネットワーク内でも稼働することができる。さらに、クライアント・プレーヤ２０８および２１０は、ネットワーク１０２およびクライアント・プレーヤ２０８および２１０によりアクセス可能なサーバ間で情報を転送するためのポートとして動作するデータ処理システムによりネットワーク１０２に接続することができる。追加として、クライアント・プレーヤ２０８および２１０はローカル・ワイヤレス・ネットワーク内で通信することができる。このローカル・ワイヤレス・ネットワークは、クライアント・プレーヤ２０８および２１０が相互のワイヤレス・ブロードキャスト範囲内にあるときに生成されるので、一般に「アドホック」と見なされる。
【００２７】
クライアント・プレーヤ２０８および２１０は好ましくは、電子作品を受信し、再生し、保管できるようになっているコンピュータ・システムである。上記の通り、クライアント・プレーヤ２０８および２１０はポータブルであり、ワイヤレス・ネットワークの範囲内でワイヤレス伝送を送受信できるようになっていてもよい。あるいは、クライアント・プレーヤ２０８および２１０のいずれも静止型であってもよい。
【００２８】
複数範囲のワイヤレス伝送能力を単一クライアント・プレーヤ内に実装することができる。たとえば、近距離無線技術であるＢｌｕｅｔｏｏｔｈと、中距離無線技術である８０２．１１は、複数範囲のワイヤレス伝送を使用可能にするために単一クライアント・プレーヤ内に実装することができる。特に、電子作品に付加されたＤＲＭ規則は電子作品のブロードキャストのために好ましい受信範囲および送信範囲を指定することができ、電子作品のブロードキャストに使用可能なネットワークのタイプを制限することができる。たとえば、ＤＲＭ規則では、電子作品がケーブルのみによるか、Ｂｌｕｅｔｏｏｔｈのみによるか、または所定数の同時接続を可能にするピアツーピア・ネットワークにより伝送可能であることを指定することができる。ワイヤレスでブロードキャストされた電子作品に重点を置いて本発明を説明するが、電子作品はクライアント・プレーヤ２０８およびクライアント・プレーヤ２１０から有線ネットワーク接続を介してブロードキャストすることもできることに留意することは重要なことである。
【００２９】
ディジタルＤＪサーバ２０４は、クライアント・プレーヤ２０８および２１０間で再生するための電子作品を選択するためのサービスを提供する。ディジタルＤＪサーバ２０４は、クライアント・プレーヤ２０８および２１０のユーザによって行われた電子作品に関する前のレーティングを追跡することができる。次に、ディジタルＤＪサーバ２０４は、現在クライアント・プレーヤ２０８または２１０上に存在する電子作品から次にどの電子作品を再生するかを決定することができる。あるいは、ディジタルＤＪサーバ２０４は、現在ディジタルＤＪサーバ２０４に存在する電子作品から次にどの電子作品を再生するかを決定することもできる。ディジタルＤＪサーバ２０４のこの機能性は、クライアント・プレーヤ２０８および２１０内にも存在していてよい。
【００３０】
電子作品ライセンス・サーバ２０５は、ライセンスおよびライセンス電子作品の使用を追跡するためのサービスを提供する。追加として、電子作品ライセンス・サーバ２０５は、クライアント・プレーヤ２０８および２１０に対しライセンスを提供するかまたはすでに取得された電子作品に対するライセンスを調整することができる。
【００３１】
ライセンスは好ましくはＤＲＭ規則の形で電子作品に付加される。このようなＤＲＭ規則により、電子作品を購入したユーザはその電子作品のサンプルを他の電子装置にワイヤレスで伝送することができる場合がある。たとえば、クライアント・プレーヤ２０８のユーザが購入した曲は、クライアント・プレーヤ２１０へのその曲のブロードキャストを可能にするＤＲＭ規則を含むことができる。追加として、ＤＲＭ規則は、好ましくは電子作品のサンプルの許可使用を制限し、したがって、電子作品のブロードキャストとともに伝送される。しかし、ＤＲＭ規則またはその他のライセンス交付規則がクライアント・プレーヤ２０８または２１０で受信する電子作品に付加されない場合、クライアント・プレーヤは、電子作品を再生できるようになる前に、電子作品ライセンス・サーバ２０５による電子作品のライセンス交付を行うための要求を開始することができる。
【００３２】
ライセンス電子作品配信サーバ２０６は好ましくは、付加されたＤＲＭ規則の形のライセンスとともに電子作品を販売するためのサービスを提供する。ユーザは、電子作品を取得するためにＩＤを登録するかまたは支払を行うよう要求される場合がある。ユーザがワイヤレス・ブロードキャストから電子作品の不完全バージョンを試用する場合、ＤＲＭ規則は、その電子作品の完全バージョンを取得するためにライセンス電子作品配信サーバ２０６へのリンクを含むことができる。
【００３３】
次に図３を参照すると、本発明の方法、システム、およびプログラムによるワイヤレス・ネットワーク・ブロードキャストのブロック図が示されている。図示のように、図２に示したクライアント・プレーヤのうちの１つを、ローカル・ワイヤレス・ネットワーク用の１次プレーヤ３００とすることができる。複数のプレーヤが電子作品を提供することによって１次プレーヤとしての指定を争う場合もあれば、１つのプレーヤが自動的に１次プレーヤとして指定される場合もある。さらに、１つのプレーヤがある電子作品のワイヤレス・ブロードキャストを受信した後で、そのプレーヤが新しいブロードキャスト・エリアに移動し、その新しいブロードキャスト・エリア内でその電子作品に関する１次プレーヤになる場合もある。複数プレーヤからなるワイヤレス・ネットワークについて説明するが、代替の一実施形態では、有線ネットワーク接続を介して複数プレーヤを接続することもできることに留意することは重要なことである。
【００３４】
一例では、１次プレーヤ３００は、ワイヤレスで通信できるようになっている２次プレーヤを探索する。１次プレーヤ３００は、ワイヤレス・ブロードキャスト・エリア３０２の範囲内でワイヤレスで通信できるようになっている。１次プレーヤ３００がワイヤレス・ブロードキャスト・エリア３０２内で２次プレーヤ３０４および３０６などの他のプレーヤを検出すると、１次プレーヤ３００はローカル・ワイヤレス・ネットワークを確立する。ローカル・ワイヤレス・ネットワーク内では、１次プレーヤ３００は、サンプル電子作品として１次プレーヤ３００上で再生されている電子作品をワイヤレスでブロードキャストすることができる。好ましくは、ストリーミングされた電子作品に関連するＤＲＭ規則およびコンテキストもブロードキャストされる。１次プレーヤ３００上で再生しているときに電子作品をストリーミングすることの利点は、２次プレーヤ３０４および３０６での同期再生が可能であることである。しかし、再生しているときに電子作品をストリーミングすることに加えて、サンプル電子作品全体を１つのデータ・ファイルとして１次プレーヤ３００から２次プレーヤ３０４および３０６にワイヤレスで伝送することができる。
【００３５】
代替の一例では、１次プレーヤ３００は１次プレーヤ３００上で再生している現行電子作品のストリームをワイヤレス・ブロードキャスト・エリア３０２内で絶えずブロードキャストしている。２次プレーヤ３０４および３０６などのプレーヤがワイヤレス・ネットワーク・エリア内にある場合、ブロードキャスト・ストリームが２次プレーヤで受信される。たとえば、１次プレーヤ３００は、あるストアまたはその他の定義済みエリアに入る２次プレーヤに対し、そのストアまたはその他の定義済みエリア内でワイヤレスにブロードキャストする静止型プレーヤとすることができる。他の例では、１次プレーヤ３００は、その現在場所からワイヤレスでブロードキャストするポータブル・プレーヤとすることができ、したがって、それが移動するときにアドホック・ローカル・ワイヤレス・ネットワーク・エリアを作成する。
【００３６】
１次プレーヤ３００による電子作品のブロードキャストは、ブロードキャストされている電子作品に付加されたＤＲＭ規則によって制御することができる。特に、ＤＲＭ規則は、送受信範囲および伝送媒体に関するプリファレンスまたは制限を指定することができる。好ましくは、範囲検出を容易にするために、無線および有線のフィードバック・システムが１次プレーヤ３００と２次プレーヤ３０４および３０６に含まれる。
【００３７】
１次プレーヤ３００によってブロードキャストされた電子作品のコンテキストは電子作品とともに伝送することができる。電子作品のコンテキストは一般に、電子作品の履歴、レビュー、および配信経路を含む。たとえば、音楽作品の場合、コンテキストとしては、曲名、アーチスト名（複数も可）、ジャンル、アルバム名、アルバム・タイプ、配信者名、配信者リンク、レーベル名、レーベル・リンク、アーチスト・リンク、レビュア名、レビュア・レーティング、レビュア・テキストを含むことができるが、これらに限定されない。
【００３８】
２次プレーヤ３０４および３０６は、ストリーミングされた電子作品を受信し、その電子作品を同期再生することができる。追加としてまたは代替として、２次プレーヤ３０４および３０６は、後で再生するためにＤＲＭ規則とともにブロードキャスト・ストリームのコピーを保管することができる。２次プレーヤ３０４および３０６が、２次プレーヤ３０８の位置などの、ブロードキャスト・エリア３０２から外へ移動すると、ＤＲＭ規則によって許可される通り、ブロードキャスト・ストリームの保管コピーしか再生できなくなる。
【００３９】
電子作品をブロードキャストする前に、１次プレーヤ３００はユーザ・プリファレンスについて２次プレーヤ３０４および３０６に照会することができる。次に、１次プレーヤ３００は、２次プレーヤ３０４および３０６からのユーザ・プリファレンスと１次プレーヤ３００に関するユーザ・プリファレンスに基づいて、１次プレーヤ３００上に保管された電子作品のうち、次にどの電子作品を再生すべきかを決定することができる。代替として、１次プレーヤ３００は、インターネット接続を介してすべての関連ユーザ・プリファレンスをディジタルＤＪに伝送し、１次プレーヤ３００または任意の２次プレーヤからアクセス可能な現行電子作品の中から次のブロードキャストに関する推薦を要求することができる。さらに、ディジタルＤＪは、新しい電子作品を推薦し、作品に対する支払いについてライセンス電子作品配信サーバと交渉することができる。
【００４０】
ユーザは、２次プレーヤ３０４または３０６でストリーミングされた電子作品を聞いたり見たりすると、その電子作品に関するレーティングを行うことができる。レーティングは、賛成／不賛成、数字レーティング、英数字レーティング、またはプレーヤによって実装されたレーティング・システムからのその他の選択を含むがこれらに限定されない複数の形を取ることができる。追加として、ユーザは電子作品をレビューすることができる。レビュアのレビュー・コメントおよびＩＤを電子作品のコンテキストに追加し、他のプレーヤ間で伝送し、電子作品とともにブロードキャストすることができる。
【００４１】
１次プレーヤ３００ならびに２次プレーヤ３０４および３０６のいずれかのプレーヤがライセンスをモニターするサーバを含むインターネットまたはその他のネットワークへのネットワーク接続を確立すると、プレーヤはそのプレーヤで受信した任意のサンプル電子作品の記録を、ライセンスの配信をモニターする電子作品ライセンス・サーバまたはその他のサーバ・システムに自動的に報告することができる。さらに、プレーヤは、電子作品レーティングをモニターするサーバ含むインターネットまたはその他のネットワークへのネットワーク接続を検出すると、そのプレーヤで受信したサンプル電子作品に対しユーザによって割り当てられたレーティングの記録を、ライセンス電子作品に関するレーティングおよびコメントをモニターする電子作品ライセンス・サーバまたはその他のサーバ・システムに自動的に報告することができる。
【００４２】
次に図４を参照すると、本発明の方法、システム、およびプログラムによる音楽プレーヤのブロック図が示されている。図示のように、プレーヤ４００は、電子作品を受信し、再生し、保管できるようになっている電子装置内で機能できるコンポーネントの一例を含む。
【００４３】
まず、プレーヤ４００は、ワイヤレス通信の送受信が可能なワイヤレス・トランシーバ４０２を含む。ワイヤレス・トランシーバ４０２は、Ｂｌｕｅｔｏｏｔｈ、８０２．１１、およびＤＥＣＴを含むがこれらに限定されない複数タイプのワイヤレス・ブロードキャスト技術を実装することができる。
【００４４】
また、プレーヤ４００は、あるデータ・ストリームの再生を、電子作品の同じデータ・ストリームを再生している他のプレーヤと同期させることが可能な再生コントローラ４０８を含む。プレーヤ４００が１次プレーヤのブロードキャスト範囲内にある限り、再生コントローラ４０８は、電子作品の現行データ・ストリームの再生、または１次プレーヤから受信し、前に保管したサンプル電子作品の再生を可能にすることができる。
【００４５】
再生コントローラ４０８は好ましくは、電子作品のデータ・ストリームを圧縮し、サンプル作品データベース４０６に保管する。サンプル作品データベース４０６は、ＤＲＭ規則が付いたストリーミング電子作品からの、ＭＰ３などのフォーマットの圧縮ファイルを含む。プレーヤ４００が１次プレーヤのブロードキャスト範囲外にある場合、サンプル作品データベース４０６内の保管サンプル電子作品は再生することができるが、電子作品ごとのＤＲＭ規則に応じてのみ再生することができる。さらに、再生コントローラ４０８は、ライセンス交付権なしに取得されたサンプル電子作品の再生を禁止することができる。
【００４６】
また、再生コントローラ４０８は、使用のためのライセンスおよび他のプレーヤにブロードキャストするためのライセンスとともにプレーヤ４００上にダウンロードされた電子作品の再生も制御する。特に、再生を制限する規則が付いたサンプル電子作品として、他のプレーヤに電子作品ファイルを転送するかまたは電子作品をブロードキャストするためのライセンスを含む電子作品をダウンロードすることができる。
【００４７】
本発明の利点の１つによれば、プレーヤ４００は、ワイヤレス・ブロードキャストを検出した場合、ブロードキャストされている電子作品のコンテキストをプロファイル４０４と比較し、ユーザがブロードキャストを自動的に保管したいのか、または無視したいのかを決定することができる。特に、プレーヤ４００は、同時にブロードキャストされている複数の電子作品を検出することもできる。ユーザはそのうちの１つを聞くことを選択することができ、再生コントローラ４０８はプロファイル４０４に応じてその他の電子作品をフィルタ処理し、ユーザが関心を持つ可能性のあるものを保管することができる。
【００４８】
電子作品があるプレーヤから他のプレーヤにストリーミングされる場合、電子クーポンもブロードキャストすることができる。プレーヤ４００で受信した電子クーポンは電子クーポン・データベース４０９に保管される。電子クーポンは、ブロードキャストされた電子作品の受信側が電子作品ライセンス・サーバまたはライセンス電子作品配信サーバから電子作品を購入するかまたはその電子作品に対する追加のライセンス交付権を購入するための割引、割戻し、その他のインセンティブを含むことができる。
【００４９】
プレーヤ４００上に保管されたプロファイル４０４は好ましくはユーザに関する電子作品プリファレンスを記録する。プロファイル４０４は、プレーヤ４００上に保管された現行電子作品とプレーヤ４００上に保管されたそれぞれの電子作品に対しユーザによって割り当てられたレーティングとのリストを含むことができるが、これに限定されない。追加として、プロファイル４０４は、ユーザによって前に聞いたり見たりされた電子作品とそれぞれに対しユーザによって割り当てられたレーティングとのリストを含むことができるが、これに限定されない。さらに、プロファイル４０４は、あるユーザに関する音楽、映画、書籍、ミュージシャン、俳優などの好み、その他のカテゴリのプリファレンスのリストを含むことができるが、これに限定されない。さらに、プロファイル４０４は、あるユーザが今後、聞いたり見たりしたいと思うタイプの音楽、映画、アーチスト、俳優、曲などのリストを含むことができるが、これに限定されない。
【００５０】
プレーヤ４００は、プロファイル４０４内のデータをローカル・ワイヤレス・ネットワーク内の他のプレーヤに転送することができる。さらに、プレーヤ４００は、ローカル・ワイヤレス・ネットワーク内の他のプレーヤからプロファイルを受信することができる。プレーヤ４００内のマッチング・コントローラ４１０は、ローカル・ワイヤレス・ネットワーク内の他のユーザのプロファイルと、ライセンス作品データベース４１２内でブロードキャストのために使用可能な電子作品のコンテキストとを比較し、他のプレーヤにブロードキャストするためにすべての聴取者のプリファレンスを最も満足する音楽を選択する。数人のユーザのプリファレンスが他のユーザのプリファレンスと一致しない場合、マッチング・コントローラ４１０は、第１のグループのユーザのプリファレンスを満足するものと、第２のグループのユーザのプリファレンスを満足するものとを交互に選択することができる。代替として、現行電子作品に対してプリファレンスの一致が得られない場合、プレーヤ４００は、プリファレンスを一致させる新しい電子作品を取得するようにしてもよい。
【００５１】
購入コネクタ４０７は好ましくは、追加のライセンス交付を取得し、ブロードキャストから電子作品の保管サンプルを登録するために、電子作品ライセンス・サーバまたはライセンス電子作品配信サーバへのアクセスを開始する。購入コネクタ４０７は、インターネットまたはその他のネットワーク接続を介して電子作品ライセンス・サーバまたはライセンス電子作品配信サーバとの接続を開始することができる。
【００５２】
次に図５を参照すると、本発明の方法、システム、およびプログラムにより音楽をブロードキャストする１次プレーヤと音楽を受信する２次プレーヤとの間のワイヤレス通信のブロック図が示されている。１次プレーヤ５００は、参照番号５０４に示すように、ＤＲＭ規則およびコンテキストが付いたアーチスト４の曲５を選択するマッチング・ユニット５０２を含む。マッチング・ユニット５０２がある電子作品を選択すると、その電子作品に関するコンテキスト・データとＤＲＭ規則が、１次プレーヤのユーザおよび任意のアクセス可能な２次プレーヤのユーザからのユーザ・プリファレンスの選択と突き合わされる。電子作品のコンテキスト・データとしては、曲名、アーチスト名（複数も可）、ジャンル、アルバム名、アルバム・タイプ（たとえば、オリジナルＬＰまたはコンピレーション）、レビュア名、レビュア・レーティング、レビュア・テキストを含むことができるが、これらに限定されない。ＤＲＭ規則は、たとえば、電子作品がフリーであるかまたは限定ライセンスによって支配されるかを含むことができる。
【００５３】
この実施形態では、音楽作品は、ワイヤレス・トランシーバ５０６によりストリーミングされ、２次プレーヤ５１０のワイヤレス・トランシーバ５１６で受信される。２次プレーヤ５１０は、音楽ストリームの再生を１次プレーヤ５００と同期させ、オーディオ出力装置５２０によるストリームの出力を制御する再生コントローラ５１８を含む。また、音楽ストリームは、音楽再生コントローラ５１８によりサンプル音楽として電子作品サンプル・データベース５１２に保管される。参照番号５１４で示すように、ＤＲＭ規則およびコンテキストが付いた曲５、アーチスト４のサンプルは、音楽サンプル・データベース５１２に保管される。ここでは、ＤＲＭ規則およびコンテキストが作品のワイヤレス・ブロードキャストで伝送されるようになっているが、代替の実施形態では、電子作品、コンテキスト、およびＤＲＭ規則のそれぞれの一部分のみをワイヤレス・ブロードキャスト中に伝送するようにしてもよい。
【００５４】
次に図６を参照すると、本発明の方法、システム、およびプログラムにより２次プレーヤに保管されたサンプル音楽作品６０２のブロック図が示されている。図示のように、保管される電子作品、この場合はアーチスト４の曲５は、作品情報６０５および音楽ストリーム・ファイル６０６を含む。
【００５５】
作品情報６０５は、ＤＲＭ規則６０４およびコンテキスト・データ６０８を含む。ＤＲＭ規則６０４は好ましくは、電子作品の再生、および電子作品のコンテキストの出力を制御する。コンテキスト・データ６０８は好ましくは、その電子作品に関する履歴コンテキスト、配信コンテキスト、およびレビュー・コンテキストを含む。
【００５６】
参照番号６１０のところに示すＤＲＭ規則６０４の例では、プレーヤに保管された曲の再生は、そのプレーヤが１次プレーヤの所与の伝送範囲内にあるときに許可され得る。１次プレーヤへの接近度は、１次プレーヤから検出された信号強度によって測定することができる。
【００５７】
ＤＲＭ規則６０４の他の例では、プレーヤに保管された曲は再生することができるが、その曲の所与の秒数分あるいは低解像度または品質の低下のみが許可される。さらに、他の例では、曲全体を保管することができるが、ディジタル規則は、その曲を再生できるようになる前に、暗号解除キーをライセンス交付データベースからアクセスすることを要求する。すなわち、音楽ストリームを保管するのではなく、音楽ファイルを転送し保管して、あとで暗号解除キーを用いて再生するのである。さらに、ＤＲＭ規則が、曲全体の再生を許可するようにしてもよい。
【００５８】
曲の再生に加えて、ＤＲＭ規則では、参照番号６１２のところに示すように、曲名、アルバム・タイトル、作曲家、作家、歌手、制作者、レーベル、レコーディングの年、ジャンル、アルバム・タイプ（たとえば、オリジナルＬＰまたはコンピレーション）、レビュア名、レビュア・レーティング、レビュア・テキスト、およびレビュア推奨度を含むがこれらに限定されないコンテキスト・データ６０８のどの部分を見ることができるかを制限することができる。追加として、ＤＲＭ規則では、その曲に関するどのレビュー・コメントをユーザが見ることができるかを制限することができる。複数の音楽レビュアからの、またはその曲に関するレーティングを行った他のユーザからのストリーム伝送にレビュー・コメントを含めることができる。ＤＲＭ規則６０４では、電子作品の前、電子作品中、または電子作品の後で、レビュー・コメントを再生することを要求することができる。
【００５９】
有利なことに、電子作品を受信する各ユーザは、レーティングおよびレビュー・コメントでコンテキスト・データ６０８を更新することができる。さらに、ユーザは、コンテキスト・データ６０８を更新するためにレーティングおよびレビュー・コメントを指定する場合に、それらのレーティングおよびレビュー・コメントを再生または表示するようにＤＲＭ規則を規定することができる。
【００６０】
好ましくは、プレーヤ内の再生コントローラは、ＤＲＭ規則に応じて、音楽またはその他の電子作品の再生と、プレーヤ上でのコンテキストの表示を制限する。代替として、音楽プレーヤ内の音楽再生コントローラは、音楽作品を再生する前にライセンス交付サーバからサンプル音楽に関するＤＲＭ規則の取得を要求するようにしてもよい。
【００６１】
次に図７を参照すると、本発明の方法、システム、およびプログラムによるライセンス電子作品サーバのコンポーネントのブロック図が示されている。図示のように、電子作品ライセンス・サーバ７００はライセンス・コントローラ７０２を含む。ライセンス・コントローラ７０２は、音楽用のライセンスを取得するための要求を受信する。さらに、ライセンス・コントローラ７０２は、ブロードキャストされた電子作品を受信するプレーヤからの音楽ライセンスを検証するための要求を受信することができる。好ましくは、ライセンス・データベース７０４は電子作品用のライセンスを保管し、ライセンス・レジストリ・データベース７０６は音楽ライセンスを取得した人のユーザＩＤを保管する。特に、ユーザが料金の支払または登録など、そのライセンスの要件を満たした場合、その電子作品用のライセンスを転送することができる。代替の実施形態では、電子作品ライセンス・サーバ７００は、すべてのタイプの電子作品用のライセンスを制御する。
【００６２】
参照番号７０８のところに示すように、使用に関する制約事項とともに、複数タイプのライセンスを含めることができる。実際の制約事項は好ましくはＤＲＭ規則によって定義される。ユーザがある電子作品を購入または登録すると、参照番号７０８にリストしたタイプなど、使用可能なタイプのライセンスのリストをそのユーザに提供することができる。異なるタイプのライセンスには異なる対価を関連付けることができる。さらに、図示のライセンス・タイプの例に加えて、その他のタイプのライセンス契約を結べるようにしてもよく、また特定ユーザ向けのライセンス契約を別途準備するようにしてもよい。
【００６３】
次に図８〜図１３を参照すると、本発明の方法、システム、およびプログラムにより電子作品を受信し、保管し、ブロードキャストできるようになっているプレーヤのユーザに提示される表示選択項目の例示的な表現が示されている。図８に示すように、プレーヤが音楽プリファレンスに関する１次プレーヤからの照会を検出したことに応答して、ユーザは、１次プレーヤへのプリファレンスの伝送を許可するよう指示される。特に、この要求では、ユーザは音楽プリファレンスの伝送を許可するよう指示される。代替実施形態では、ユーザは、ブロードキャストされた電子作品へのアクセスが許可される前に、ユーザの音楽プリファレンスの他にＩＤおよびその他の情報の伝送も許可するよう要求される場合もある。
【００６４】
図９に示すように、ユーザは、他のプレーヤによってブロードキャストされた特定の電子作品を聞いたり見たりするかどうかを選択するための指示も受け取る。特に、ユーザは、特定の曲を聞くかどうかを選択するよう指示される。代替実施形態では、ユーザは、特定のアーチスト、特定のレーベル、およびその他の指定可能なカテゴリの特定タイプの電子作品を聞くかどうかを選択するよう指示される場合もある。
【００６５】
図１０に示すように、ユーザは、１次プレーヤから受信した電子作品のサンプルを保管するかどうかを選択するよう指示される。ユーザが電子作品のサンプルを保管することを選択した場合、ブロードキャストされた電子作品は、ＤＲＭ規則が使用可能である場合はＤＲＭ規則とともに、デフォルトまたは指定のフォーマットで保管される。ユーザは、電子作品のサンプルの一部分のみを保管することを選択できる場合もあれば、プレーヤで受信したすべてのブロードキャストされた電子作品を自動的に保管するためのプリファレンスを設定することもできる。
【００６６】
図１１に示すように、ユーザは、電子作品に関するレーティングを行うよう指示される。ユーザは、特定の１次プレーヤから受信した複数作品の選択全体に関するレーティングを行うよう指示される場合もある。さらに、ユーザは、ある作品の特定の特性に関するレーティングを行うよう指示される場合もある。この指示は、ユーザが現行ブロードキャストの同期再生を聞いている間にまたはユーザがブロードキャストからの保管サンプルの再生を聞いているときに表示される。ユーザに提示されるレーティング・スケールは、ＤＲＭ規則が指定するか、ユーザが指定するか、または任意に選択することができる。
【００６７】
図１２に示すように、ユーザは、電子作品に関するレビュー・コメントを提供するよう指示される。ユーザは、いくつかのコメント・フレーズから選択するようプ指示される場合もあれば、オリジナル・コメントを入力することもできる。さらに、ユーザは、ある作品の特定の特性に関するレビュー・コメントを提供するよう指示される場合もある。ユーザは、テキスト、グラフィック、およびオーディオベースのコメントを提供することができる。
【００６８】
図１３に示すように、ユーザは、電子作品に関するユーザのレーティングおよびレビュー・コメントを見たり聞いたりすることを許可するよう指示される。たとえば、ユーザは、電子作品のすべての受信者または電子作品のライセンス保有者のみに対し、レーティングおよびレビュー・コメントを見ることを許可することができる。好ましくは、ユーザによって行われる許可選択は、電子作品のコンテキストを見ることを制御するためのＤＲＭ規則に追加される。
【００６９】
次に図１４を参照すると、１次プレーヤを制御するためのプロセスおよびプログラムの高レベル論理流れ図が示されている。図示のように、プロセスはブロック９００から始まり、その後、ブロック９０２に移行する。ブロック９０２は、ＤＲＭ許可ブロードキャスト範囲内の他の装置が検出されたかどうかの判定を示している。特に、特定の電子作品のブロードキャストに関するＤＲＭ規則は好ましくは、接続タイプ、ブロードキャスト範囲、その他のブロードキャスト制限およびプリファレンスを指定する。他の装置が検出されない場合、プロセスはブロック９０２で繰り返す。他の装置が検出された場合、プロセスはブロック９０４に移行する。
【００７０】
ブロック９０４は、他の人のプリファレンスに基づいて電子作品を選択するための設定が選択されているかどうかの判定を示している。ＤＲＭ規則では、プリファレンスに基づく電子作品の選択を要求することができる。代替として、１次プレーヤのユーザは、プリファレンスに基づく電子作品の選択を要求することができる。プリファレンスに基づく選択が要求されない場合、プロセスはブロック９１４に移行する。ブロック９１４は、ブロードキャストするためのデフォルト電子作品を選択することを示している。これに対して、ブロック９０４でプリファレンスに基づく選択が要求されている場合、プロセスはブロック９０６に移行する。ブロック９０６は、プリファレンスに関する要求を他のワイヤレス装置に伝送することを示しており、プロセスはブロック９０８に移行する。特に、プリファレンスに関する要求は、ＤＲＭ規則またはユーザ指定に基づいて、どのタイプのプリファレンスを要求するかを指定することができる。
【００７１】
ブロック９０８は、ブロードキャスト範囲内の他のワイヤレス装置からのプリファレンスを受信したかどうかの判定を示している。いかなるプリファレンスも受信されていない場合、プロセスはブロック９１４に移行する。プリファレンスが受信されている場合、プロセスはブロック９１０に移行する。ブロック９１０は、すべての受信プリファレンスに基づいて次にブロードキャストするための電子作品を選択することを示している。特に、プロセスは、電子作品がワイヤレス・ブロードキャストを可能にするＤＲＭ規則を含むことも要求することができる。さらに、１次プレーヤは、ネットワークを介してアクセス可能な他の電子装置内に位置するディジタルＤＪに電子作品選択プロセスをオフロードすることができる。さらに、再生コントローラは、プリファレンスの選択に基づいて、次にブロードキャストするための電子作品を選択するためにのみ受信プリファレンスをさらにフィルタ処理することができる。次に、ブロック９１２は、ＤＲＭ規則とともにサンプル電子作品をブロードキャストすることを示しており、プロセスは終了する。
【００７２】
次に図１５を参照すると、２次プレーヤでのブロードキャストされた電子作品の受信を制御するためのプロセスおよびプログラムの高レベル論理流れ図が示されている。図示のように、プロセスはブロック１０００から始まり、その後、ブロック１００２に移行する。ブロック１００２は、ブロードキャスト・ワイヤレス装置が検出されたかどうかの判定を示している。ブロードキャスト・ワイヤレス装置が検出されない場合、プロセスはブロック１００２で繰り返す。ブロードキャスト・ワイヤレス装置が検出された場合、プロセスはブロック１００４に移行する。ブロック１００４は、プリファレンスに関する要求を受信したかどうかの判定を示している。プリファレンスに関する要求が受信されている場合、プロセスはブロック１００６に移行する。プリファレンスに関する要求が受信されていない場合、プロセスはブロック１０１２に移行する。
【００７３】
プロセスがブロック１００６に移行した場合、ユーザがプロファイル・プリファレンスの送信を許可するための要求が提示される。次に、ブロック１００８は、ユーザがプロファイル・プリファレンスの送信を許可したかどうかの判定を示している。ユーザがプリファレンスの送信を許可していない場合、プロセスはブロック１０１２に移行する。ユーザがプリファレンスの送信を許可した場合、プロセスはブロック１０１０に移行する。ブロック１０１０は、そのプレーヤのすべての適用可能ユーザに関するプリファレンスを送信することを示しており、プロセスはブロック１０１２に移行する。プロファイル・プリファレンスは、装置所有者、現行ユーザ、または複数ユーザのグループによって設定することができる。
【００７４】
プロセスがブロック１０１２に移行すると、ユーザがプレーヤで受信したストリーミング・ブロードキャストの再生プリファレンスを選択するための要求が提示される。次に、ブロック１０１４は、ユーザが同期再生を選択したかどうかの判定を示している。ユーザが同期再生を選択していない場合、プロセスはブロック１０１８に移行する。ユーザが電子作品を同期再生することを選択した場合、プロセスはブロック１０１６に移行する。ブロック１０１６は、ブロードキャスト範囲内にある間にワイヤレス・ブロードキャストからの電子作品の同期出力を制御することを示しており、プロセスはブロック１０１８に移行する。ブロック１０１８は、ユーザが電子作品を保管することを選択したかどうかの判定を示している。ユーザが電子作品の保管を選択していない場合、プロセスは終了する。ユーザが電子作品を保管することを選択した場合、プロセスはブロック１０２０に移行する。ブロック１０２０は、ＤＲＭ規則とともにワイヤレス・ブロードキャストを保管することを示しており、プロセスは終了する。
【００７５】
次に図１６を参照すると、プレーヤでのブロードキャストされた電子作品の保管サンプルの再生を制御するためのプロセスおよびプログラムの高レベル論理流れ図が示されている。図示のように、プロセスはブロック１１００から始まり、その後、ブロック１１０２に移行する。ブロック１１０２は、保管電子作品の再生に関するユーザ要求が検出されたかどうかの判定を示している。保管電子作品の再生に関するユーザ要求が検出されていない場合、プロセスはブロック１１０２で繰り返す。保管電子作品の再生に関するユーザ要求が検出された場合、プロセスはブロック１１０４に移行する。ブロック１１０４は、電子作品に付加されたＤＲＭ規則が存在するかどうかの判定を示している。付加されたＤＲＭ規則が存在する場合、プロセスはブロック１１１０に移行する。ブロック１１１０は、ＤＲＭ規則に応じて電子作品の再生を制御することを示しており、プロセスは終了する。これに対して、ブロック１１０４で、電子作品に付加されたＤＲＭ規則がまったく存在しない場合、プロセスはブロック１１０６に移行する。ブロック１１０６は、ライセンス作品サーバから電子作品用のライセンスを要求することを示している。次に、ブロック１１０８は、電子作品用のライセンスについて交渉したかどうかの判定を示している。ライセンスについて交渉していない場合、プロセスは、ライセンス交付の欠落のインジケータが提示されるブロック１１１２に移行し、プロセスは終了する。ライセンスについて交渉した場合、プロセスはブロック１１１０に移行し、前に記載した通りに続行する。
【００７６】
好ましい実施形態に関連して本発明を詳細に示し説明してきたが、当業者であれば、本発明の精神および範囲を逸脱せずに、形式および詳細の点で様々な変更が可能であることが分かるであろう。
【図面の簡単な説明】
【００７７】
【図１】本方法、システム、およびプログラムを実現可能なコンピュータ・システムを示すブロック図である。
【図２】本発明の方法、システム、およびプログラムによる電子作品ライセンス交付および配信システムを容易にするための分散ネットワーク・システムを示すブロック図である。
【図３】本発明の方法、システム、およびプログラムによるワイヤレス・ネットワーク・ブロードキャストを示すブロック図である。
【図４】本発明の方法、システム、およびプログラムによる音楽プレーヤを示すブロック図である。
【図５】本発明の方法、システム、およびプログラムにより音楽をブロードキャストする１次プレーヤと音楽を受信する２次プレーヤとの間のワイヤレス通信を示すブロック図である。
【図６】本発明の方法、システム、およびプログラムにより音楽プレーヤに保管されたサンプル曲を示すブロック図である。
【図７】本発明の方法、システム、およびプログラムによるライセンス電子作品サーバのコンポーネントを示すブロック図である。
【図８】本発明の方法、システム、およびプログラムにより電子作品を受信し、保管し、ブロードキャストできるようになっているプレーヤのユーザに提示される表示選択項目の例示的な表現である。
【図９】本発明の方法、システム、およびプログラムにより電子作品を受信し、保管し、ブロードキャストできるようになっているプレーヤのユーザに提示される表示選択項目の例示的な表現である。
【図１０】本発明の方法、システム、およびプログラムにより電子作品を受信し、保管し、ブロードキャストできるようになっているプレーヤのユーザに提示される表示選択項目の例示的な表現である。
【図１１】本発明の方法、システム、およびプログラムにより電子作品を受信し、保管し、ブロードキャストできるようになっているプレーヤのユーザに提示される表示選択項目の例示的な表現である。
【図１２】本発明の方法、システム、およびプログラムにより電子作品を受信し、保管し、ブロードキャストできるようになっているプレーヤのユーザに提示される表示選択項目の例示的な表現である。
【図１３】本発明の方法、システム、およびプログラムにより電子作品を受信し、保管し、ブロードキャストできるようになっているプレーヤのユーザに提示される表示選択項目の例示的な表現である。
【図１４】１次プレーヤを制御するためのプロセスおよびプログラムの高レベル論理流れ図である。
【図１５】２次プレーヤでのブロードキャストされた電子作品の受信を制御するためのプロセスおよびプログラムの高レベル論理流れ図である。
【図１６】プレーヤでのブロードキャストされた電子作品の保管サンプルの再生を制御するためのプロセスおよびプログラムの高レベル論理流れ図である。
【図１】
2005166059.tif 000003
【図２】
2005166059.tif 000004
【図３】
2005166059.tif 000005
【図４】
2005166059.tif 000006
【図５】
2005166059.tif 000007
【図６】
2005166059.tif 000008
【図７】
2005166059.tif 000009
【図８】
2005166059.tif 000010
【図９】
2005166059.tif 000011
【図１０】
2005166059.tif 000012
【図１１】
2005166059.tif 000013
【図１２】
2005166059.tif 000014
【図１３】
2005166059.tif 000015
【図１４】
2005166059.tif 000016
【図１５】
2005166059.tif 000017
【図１６】
2005166059.tif 000018